(57)【要約】      （修正有）【課題】体の状態に応じて使用できる枕を提供する。【解決手段】枕は、頭部を支持する頭部支持部１０と、頚椎部を支持する頚椎部支持部２０と、頭部支持部、及び頚椎部支持部の少なくとも一方の高さを調節する高さ調節部とを有し、高さ調節部は、頚椎部支持部の高さよりも、頭部支持部の高さを高く調節する。好適には、高さ調節部は、頭部支持部、及び、頚椎部支持部の両方の高さを調節する【選択図】図８
2017169626.tif 000002
【特許請求の範囲】
【請求項１】
頭部を支持する頭部支持部と、
頚椎部を支持する頚椎部支持部と、
前記頭部支持部、及び、前記頚椎部支持部の少なくとも一方の高さを調節する高さ調節部と
を有し、
前記高さ調節部は、前記頚椎部支持部の高さよりも、前記頭部支持部の高さを高く調節する
枕。
【請求項２】
前記高さ調節部は、前記頭部支持部、及び、前記頚椎部支持部の両方の高さを調節する
請求項１に記載の枕。
【請求項３】
前記高さ調節部は、前記頚椎部支持部の高さよりも、前記頭部支持部の高さを、２ｃｍ以上１０ｃｍ以下の範囲で、高く調節する
請求項１に記載の枕。
【請求項４】
前記高さ調節部は、首を正面方向に曲げて固定できる高さに、前記頚椎部支持部、及び、前記頭部支持部の少なくとも一方の高さを調節する
請求項１に記載の枕。
【請求項５】
前記頭部支持部、及び、前記頚椎部支持部の高さを表わす高さ情報を格納する高さ格納部と、
前記高さ格納部により格納された高さ情報に基づき、高さ情報を選択する高さ選択部と
をさらに有し、
前記高さ調節部は、高さ選択部により選択された高さ情報に基づき、前記頭部支持部、及び、前記頚椎部支持部の高さを調節する
請求項１に記載の枕。
【請求項６】
枕において、頚椎部を支持する頚椎部支持部の高さよりも、頭部を支持する頭部支持部の高さを、相対的に、高く調節する工程
を有する枕の高さ調節方法。
【発明の詳細な説明】
【技術分野】
【０００１】
本発明は、枕に関する。
【背景技術】
【０００２】
例えば、特許文献１には、就寝時に用いる枕であって、所定の高さを有して弾性を備えた頭部を載置する頭部支持部と、前記頭部支持部より高さが低く弾性を備えた頸椎部を載置する頸椎部支持部と、前記頸椎部支持部より高さがさらに低く弾性を備えた上部胸椎部を載置する胸椎部支持部とを順に備え、前記頭部支持部と前記頸椎部支持部と前記胸椎部支持部における垂直方向の断面形状が、略三角形状であることを特徴とする枕が開示されている。
また、特許文献２には、人体の頭部を支持する枕であって、前記人体の頭部を支持する第１袋体と、前記第１袋体の一軸方向の一側の端部に接続し、前記人体の頸椎部を支持する第２袋体と、前記第２袋体の前記一軸方向の一側の端部に接続し、前記人体の上部胸椎部を支持する第３袋体とを備え、前記第１、第２、及び第３袋部のそれぞれに空気を入れるための開閉可能な孔部が設けられていることを特徴とする枕が開示されている。
【先行技術文献】
【特許文献】
【０００３】
【特許文献１】特開２０１５−０２００５１号公報
【特許文献２】特開２０１５−２０５０１５号公報
【発明の概要】
【発明が解決しようとする課題】
【０００４】
体の状態に応じて使用できる枕を提供することを目的とする。
【課題を解決するための手段】
【０００５】
本発明に係る枕は、頭部を支持する頭部支持部と、頚椎部を支持する頚椎部支持部と、前記頭部支持部、及び、前記頚椎部支持部の少なくとも一方の高さを調節する高さ調節部とを有し、前記高さ調節部は、前記頚椎部支持部の高さよりも、前記頭部支持部の高さを高く調節する。
【０００６】
好適には、前記高さ調節部は、前記頭部支持部、及び、前記頚椎部支持部の両方の高さを調節する。
【０００７】
好適には、前記高さ調節部は、前記頚椎部支持部の高さよりも、前記頭部支持部の高さを、２ｃｍ以上１０ｃｍ以下の範囲で、高く調節する。
【０００８】
好適には、前記高さ調節部は、首を正面方向に曲げて固定できる高さに、前記頚椎部支持部、及び、前記頭部支持部の少なくとも一方の高さを調節する。
【０００９】
好適には、前記頭部支持部、及び、前記頚椎部支持部の高さを表わす高さ情報を格納する高さ格納部と、前記高さ格納部により格納された高さ情報に基づき、高さ情報を選択する高さ選択部とをさらに有し、前記高さ調節部は、高さ選択部により選択された高さ情報に基づき、前記頭部支持部、及び、前記頚椎部支持部の高さを調節する。
【００１０】
本発明に係る枕の高さ調節方法は、枕において、頚椎部を支持する頚椎部支持部の高さよりも、頭部を支持する頭部支持部の高さを、相対的に、高く調節する工程を有する。
【発明の効果】
【００１１】
体の状態に応じて使用できる枕を提供することができる。
【図面の簡単な説明】
【００１２】
【図１】高さ調節枕１を例示する図である。
【図２】高さ調節前後の高さ調節枕１を例示する図である。
【図３】頚椎症、及び、神経根症を模式的に説明する図である。
【図４】脊椎の前屈及び後屈による圧迫を模式的に説明する図である。
【図５】緩解期、及び、悪化期における高さ調節枕１を模式的に説明する図である。
【図６】変形例１における高さ調節枕２を例示する図である。
【図７】変形例１における高さ調節枕２の機能構成を例示する図である。
【図８】変形例２における高さ調節枕３を例示する図である。
【発明を実施するための形態】
【００１３】
以下、本発明の実施形態を、図面を参照して説明する。
図１は、高さ調節枕１を例示する図である。
図１（Ａ）に例示するように、高さ調節枕１は、頭部を支持する頭部支持部１０、頚椎部を支持する頚椎部支持部２０、及び、肩部を支持する肩部支持部９０を有する。
頭部支持部１０、椎部支持部２０、及び、肩部支持部９０は、弾力性を有する素材からなる。例えば、頭部支持部１０、椎部支持部２０、及び、肩部支持部９０は、ウレタン、パイプ、ビーンズ、ビーズ、羽根、羽毛、そば殻、水、ひのき、エステル、又は、炭等からなる。また、肩部支持部９０は、例えば、肩甲骨までを支持する。
【００１４】
図１（Ｂ）に例示するように、高さ調節枕１は、頭部支持部１０、及び、頚椎部支持部２０の少なくとも一方の高さを調節する高さ調節部１００を有する。また、高さ調節枕１は、例えば、一、又は、複数の高さ調節部１００を有する。本例において、高さ調節枕１は、二つの高さ調節部１００Ａ、及び、高さ調節部１００Ｂを有する。高さ調節部１００Ａは、頚椎部支持部２０の高さを調節し、高さ調節部１００Ｂは、頭部支持部１０の高さを調節する。
高さ調節部１００は、自動、又は、手動により高さを調節する。例えば、自動の場合、高さ調節部１００は、モータ制御等により、高さを調節する。また、高さ調節部１００は、電動ポンプを動作させ、気体、又は、液体等を、高さ調節枕１の内部に出し入れすることにより、高さを調節してもよい。また、例えば、手動の場合、手動ポンプにより、気体、又は、液体等が、高さ調節枕１の内部に出し入れされることにより、高さ調節部１００は、高さを調節する。また、枕と同様の材質を含む袋、板、又は、ゴム等が、高さ調節枕１に出し入れされることにより、高さ調節部１００は、高さを調節してもよい。本例において、高さ調節部１００は、モータ制御により、自動で高さを調節する形態を具体例として説明する。
【００１５】
図１（Ｃ）は、高さ調節部１００のハードウェア構成を例示する図である。
図１（Ｃ）に例示するように、高さ調節部１００は、高さ調節ボタン１４０、モータ１５０、アーム１６０、支持板１７０、及び、駆動ユニット１８０等を有する。
高さ調節ボタン１４０は、頭部支持部１０、又は、頚椎部支持部２０の高さを調節するためのボタンである。例えば、高さ調節部１００は、一、又は、複数の高さ調節ボタン１４０を有する。本例において、高さ調節部１００は、高さ調節ボタン１４０Ａ、及び、高さ調節ボタン１４０Ｂを有する。
モータ１５０は、動力発生機である。例えば、モータ１５０は、電力により動力を発生させる。
アーム１６０は、機械などの腕状の部分である。例えば、アーム１６０は、動力により制御される。本例において、アーム１６０は、モータ１５０の動力により制御される。
支持板１７０は、頭部及び頚椎部を支持する板である。例えば、支持板１７０は、プラスチック、樹脂、木、又は、金属等からなる板である。また、例えば、支持板１７０は、例えば、クッション、又は、パッド等であってもよい。
駆動ユニット１８０は、アーム１６０の駆動制御装置である。例えば、駆動ユニット１８０は、モータ１５０を有し、モータ１５０の動力により、アーム１６０を駆動制御する。本例において、アーム１６０の下端部にモータ１５０の動力が伝達されることにより、アーム１６０の先端部が回転する。これにより、駆動ユニット１８０は、アーム１６０を介して、支持板１７０の高さを駆動制御する。支持板１７０の高さが変わることにより、高さ調節部１００は、頭部支持部１０の高さ、及び、頚椎部支持部２０の高さを調節する。また、例えば、駆動ユニット１８０は、高さ調節ボタン１４０を有し、高さ調節ボタン１４０が押されると、支持板１７０の高さを変更する。本例において、駆動ユニット１８０は、高さ調節ボタン１４０Ａが押されると、支持板１７０の高さを高くし、高さ調節ボタン１４０Ｂが押されると、支持板１７０の高さを低くする。
【００１６】
図２は、高さ調節前後の高さ調節枕１を例示する図である。
図２（Ａ）に、高さ調節前の高さ調節枕１を例示する。例えば、高さ調節前において、頚椎部支持部２０の高さは、頭部支持部１０の高さに対して、高くなっている。本例において、人間が仰向けに自然に寝ることができように、頚椎部支持部２０の高さは、頭部支持部１０の高さに対して、高くなっている。
図２（Ｂ）に、高さ調節後の高さ調節枕１を例示する。例えば、高さ調節後において、頭部支持部１０の高さは、頚椎部支持部２０の高さに対して、高くなっている。本例において、頭部支持部１０、及び、頚椎部支持部２０の高さは、首を正面方向に曲げて固定できる高さになっている。また、頭部支持部１０、及び、頚椎部支持部２０の高さは、顎を引き、うつむくように頭を固定できる高さになっている。例えば、高さ調節部１００は、頚椎部支持部１０の高さよりも、頭部支持部２０の高さを、２ｃｍ以上１０ｃｍ以下の範囲で、高く調節する。本例において、高さ調節部１００は、頚椎部支持部１０の高さよりも、頭部支持部２０の高さを、５ｃｍ高く調節する。
【００１７】
ここで、高さ調節枕１が必要となった背景を説明する。
人体の脊椎において、頚椎、及び、腰椎は前彎しており、胸椎は後彎している。この彎曲構造が、首から腰にかけての背骨で作るＳ字カーブを作る。このＳ字カーブにより、脊椎は、約５Ｋｇある人間の頭部を支える。
頚椎についてみると、正常な場合、頚椎は、ゆるやかに彎曲している。正常な頚椎の彎曲は、頭部から、頚椎にかかる圧力を分散させている。しかし、スマートフォン、又は、タブレット端末等を操作する際に下を向いて、長時間のぞき込むような姿勢をとると、ストレートネックになりやすい。ここで、ストレートネックとは、まっすぐに伸びている頚椎をいう。ストレートネックになり、首の前彎が失われると、Ｓ字カーブが維持できず体全体のバランスが崩れ、筋肉への負担が大きくなる。つまり、ストレートネックに陥ると、頭部からの圧力が分散できなくなり、首の筋肉や頚椎に多大な負担がかかる。これにより、重い頭を首や背中の筋肉で支えるようになるため、肩こりをはじめ、腰や背中の痛み、頭痛などになりやすい。
さらに、長期的にストレートネックになると、後述する神経根症になりやすい。そして、神経根症は、時間的多発性を有し、悪化期と緩解期とを繰り返す。
従来、枕において、Ｓ字カーブを維持するため、頚椎部を支持する面よりも、頭部を支持する面を低くすることが常識であった。しかし、神経根症時において、頚椎部を支持する面よりも、頭部を支持する面を高くすることが、痛みの緩和に有効であることが、新しい知見として分かった。そこで、神経根症の症状に応じて使用できる高さ調節枕１が必要となった。
【００１８】
図３は、頚椎症、及び、神経根症を模式的に説明する図である。
図３（Ａ）は、頚椎症を模式的に説明する図である。ここで、頚椎症とは、頚椎が変形する疾患をいう。
図３（Ａ）に例示するように、脊髄は、骨棘、又は、椎間板ヘルニアにより圧迫されている。ここで、骨棘とは、骨膜の内層から骨組織が新生し、棘状を呈するものをいう。頚椎症の結果、骨棘が生じる。つまり、椎間板が変形し、椎体の端部と端部とがこすれやすくなり、椎体の端部が変形し、骨棘が生じる。ここで、椎体とは、背骨を形成する骨の主要部で、円柱状の部分のことをいう。骨棘、又は、椎間板ヘルニアは、頭部からの圧力が頚椎にかかるストレートネックの状態が長期間続くことにより生じやすい。
また、骨棘等は、脊髄等を圧迫する。骨棘等は、その変形具合によって、脊髄、又は、神経根を圧迫する。ここで、神経根とは、脊髄から左右に分岐した神経をいう。骨棘等が、脊髄を圧迫する場合、症状を頚椎症性脊髄症といい、神経根を圧迫する場合、頚椎症性神経根症（神経根症）という。また、神経根症の方が、発症しやすい。
図３（Ｂ）は、神経根症を模式的に説明する図である。
図３（Ｂ）に例示するように、椎体の端部にできた骨棘等が、脊髄神経根を圧迫する。これにより、神経根症が発症する。神経根症により、腕の痛み、痺れ、及び、不快感等が生じる。また、神経根症は、５０代以降に高頻度に見られ、ほとんどの場合、保存的加療で対応可能である。
【００１９】
図４は、脊椎の後屈、及び、前屈による圧迫を模式的に説明する図である。
図４（Ａ）は、脊椎を後屈させたときの、骨棘による、脊髄等の圧迫を模式的に説明する。
図４（Ａ）に例示するように、頚椎を後屈させたとき、脊髄等の圧迫が起こりやすい。後屈により、脊髄側の椎体と椎体との間隔が狭くなることで、骨棘等が、脊髄、又は、神経根をより圧迫しやすくなる。つまり、後屈により、神経が通る神経孔が狭くなり、骨棘等が、脊髄、又は、神経根をより圧迫しやすくなる。
図４（Ｂ）は、脊椎を前屈させたときの、骨棘等による、脊髄等の圧迫を模式的に説明する。
図４（Ｂ）に例示するように、脊椎を前屈させたとき、脊髄等の圧迫は改善される。
前屈により、脊髄側の椎体と椎体との間隔が広くなることで、骨棘等による、脊髄、又は、神経根の圧迫は改善される。つまり、前屈により、神経が通る神経孔が広くなり、骨棘等による、脊髄、又は、神経根の圧迫は改善される。
【００２０】
図５は、緩解期、及び、悪化期における高さ調節枕１を模式的に説明する図である。
図５（Ａ）は、神経根症の緩解期における高さ調節枕１を模式的に説明する図である。
図５（Ａ）に例示するように、神経根症の緩解期には、頚椎部支持部２０に対して、頭部支持部１０の高さは、低くなる。つまり、高さ調節枕１は、頚椎を後屈させる。これにより、正常な頚椎の彎曲構造が作られ、頚椎の生理的前彎を維持、回復させることができる。
図５（Ｂ）は、神経根症の悪化期における高さ調節枕１を模式的に説明する図である。
図５（Ｂ）に例示するように、神経根症の悪化期において、頭部支持部１０の高さは、頚椎部支持部２０の高さに対して、高くなっている。例えば、頭部支持部１０、及び、頚椎部支持部２０の高さは、首を正面方向に曲げて固定できる高さになっている。これにより、頚椎部が前屈状態になり、神経の圧迫が改善される。圧迫の改善により、神経根症時でも、仰向けになることができる。
また、本例において、医者が患者を診察することにより、その診断結果に基づき、医者が、高さ調節ボタン１４０を押す。高さ調節部１００は、押された高さ調節ボタン１４０に基づき、頭部支持部１０、及び、椎部支持部２０の高さを調節する。患者は、神経根症の状態により、適切な高さを有する高さ調節枕１を使用できる。
また、肩部支持部９０は、胸椎と頸椎を一体化して支持する。また、肩部支持部９０は、肩甲骨を支持する。肩甲骨の脊椎は胸椎とよばれる。この部分は、肋骨が付着しているため、胸郭とともに一体化して体幹を形成している。肩部支持部９０が無く、胸椎と頸椎の高さが異なると、この移行部である下位頸椎に、頭部の重さによる負担がかかる。そのため、いっそう肩こりや神経痛が生じやすくなる。本例において、肩部支持部９０は、胸椎と頸椎を一体化して支えることができる。つまり、肩部支持部９０は、頸椎を体幹の一部として支えることができる。
以上説明したように、高さ調節枕１は、神経根症の緩解期、及び、悪化期に応じて、高さを調節できる。また、高さ調節枕１は、頚椎症による肩こり、神経痛を改善できる。
【００２１】
（変形例１）
上記実施形態の変形例１を説明する。
図６は変形例１における高さ調節枕２を例示する図である。
図６（Ａ）に例示するように、高さ調節枕２は、頭部を支持する頭部支持部１０、頚椎部を支持する頚椎部支持部２０、肩部を支持する肩部支持部９０、高さ調節部１００、及び、高さ選択ボタン２５０を有する。高さ調節枕２は、実施例１の高さ調節枕１と同様な、高さ調節部１００を有する。また、高さ調節枕２は、たとえば、一、又は、複数の高さ選択ボタン２５０を有する。本例において、高さ調節枕２は、高さ選択ボタン２５０Ａ、及び、高さ選択ボタン２５０Ｂを有する。選択された高さ選択ボタン２５０Ａ、又は、高さ選択ボタン２５０Ｂに基づき、高さ調節部１００は、頭部支持部１０、及び、頚椎部支持部２０との高さを調節する。
図６（Ｂ）に例示するように、高さ選択ボタン２５０Ａを選択した場合の、高さ調節枕２を例示する。
高さ選択ボタン２５０Ａを選択した場合、頭部支持部１０の高さに対して、頚椎部支持部２０の高さは、高くなる。高さ選択ボタン２５０Ａにより、選択される高さは、例えば、人間の頭の大きさの平均値等に基づき、頚椎の緩やかな彎曲を作れるように、計算された高さである。また、高さ選択ボタン２５０Ａにより、選択される高さは、頚椎の生理的前彎を維持、回復させることができる高さである。
図６（Ｃ）に例示するように、高さ選択ボタン２５０Ｂを選択した場合の、高さ調節枕２を例示する。
高さ選択ボタン２５０Ｂを選択した場合、頚椎部支持部２０に対して、頭部支持部１０の高さは、高くなる。例えば、高さ選択ボタン２５０Ｂの選択により、調節される高さは、人間の頭の大きさの平均値等に基づき、首を曲げて頭を固定できるように計算された高さである。これにより、頚椎の前屈を促し、神経根の圧迫が改善され、神経根症時でも、仰向けになることができる。
【００２２】
図７は、変形例１における高さ調節枕２の機能構成を例示する図である。
図７に例示するように、変形例１の高さ調節枕２は、ＣＰＵ（Ｃｅｎｔｒａｌ  Ｐｒｏｃｅｓｓｉｎｇ  Ｕｎｉｔ）、不揮発性メモリ、揮発性メモリ、及び、バス等を有し、高さ制御プログラム５０がインストールされている。
高さ制御プログラム５０は、高さ格納部５５０、高さ選択部５６０、及び、高さ調節部５７０を有する。
なお、高さ制御プログラム５０の一部又は全部は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハードウェアにより実現されてもよく、ＯＳ（Ｏｐｅｒａｔｉｎｇ  Ｓｙｓｔｅｍ）の機能を一部借用して実現されてもよい。
【００２３】
高さ制御プログラム５０において、高さ格納部５５０は、頭部支持部１０、及び、頚椎部支持部２０の高さを表わす高さ情報を格納する。本例において、高さ格納部５５０は、高さ選択ボタン２５０Ａ、及び、高さ選択ボタン２５０Ｂに応じた、２種類の高さを表わす高さ情報を格納する。
【００２４】
高さ選択部５６０は、高さ格納部５５０により格納された高さ情報に基づき、高さ情報を選択する。本例において、ユーザによる、高さ選択ボタン２５０Ａ、又は、高さ選択ボタン２５０Ｂの選択に応じて、高さ選択部５６０は、高さ格納部５５０により格納された高さ情報に基づき、高さ情報を選択する。
【００２５】
高さ調節部５７０は、高さ選択部５６０により選択された高さ情報に基づき、頭部支持部１０、及び、頚椎部支持部２０の高さを調節する。高さ調節部５７０は、高さ選択部５６０により選択された高さ情報に基づき、高さ調節部１００に、頭部支持部１０、及び、頚椎部支持部２０の高さを調節させる。
以上説明したように、高さ選択ボタン２５０Ａが選択された場合、頭部支持部１０、及び、頚椎部支持部２０は、頚椎の生理的前彎を維持、回復させる高さとなる。また、高さ選択ボタン２５０Ｂが選択された場合、頭部支持部１０、及び、頚椎部支持部２０は、頚椎を前屈させる高さになり、神経根の圧迫が改善される。
【００２６】
（変形例２）
上記実施形態の変形例２を説明する。
図８は、変形例２における高さ調節枕３を例示する図である。
図８（Ａ）に例示するように、高さ調節枕３は、頭部を支持する頭部支持部１０、頚椎部を支持する頚椎部支持部２０、肩部を支持する肩部支持部９０、及び、頭部支持部１０及び頚椎部支持部２０の高さを表示する高さ表示モニタ２５０を有する。高さ調節枕３の素材は、上記実施形態の高さ調節枕１と同様である。
図８（Ｂ）に例示するように、高さ調節枕３は、クッション２００、クッション２１０、エアクッション２２０、エアポンプ２３０、及び、接続部２４０を有する。エアクッション２２０は、本発明にかかる高さ調節部の一例である。また、本例において、高さ調節枕３は、２つの高さ調節部を有し、エアクッション２２０Ａは、頚椎部支持部２０の高さを調節し、エアクッション２２０Ｂは、頭部支持部１０の高さを調節する。
クッション２００、及び、クッション２１０は、例えば、弾性を備えたクッションである。なお、クッション２００は、エアクッション２２０のみで、頭部及び頚椎部を支えることができる場合、無くてもよい。
エアクッション２２０は、例えば、弾性を備え、かつ、液体又は気体の出し入れより大きさが変わるクッションである。本例において、空気の出し入れにより、エアクッション２２０の大きさが変わる。これに応じて、クッション２００の高さが変わる。
エアポンプ２３０は、例えば、手動、又は、電動によるポンプである。本例において、エアポンプ２３０は、手動によりエアクッション２２０内部の空気を給気、又は、排気する。図８（Ｃ）に例示するように、エアポンプ２３０により、空気を給気することで、エアクッション２３０が膨張し、クッション２００の高さが高くなる。また、エアポンプ２３０により、空気を排気することで、エアクッション２３０が収縮し、クッション２００の高さが低くなる。
接続部２４０は、例えば、弾性を有する素材からなる。本例において、接続部２４０は、クッションである。また、接続部２４０は、エアクッション２２０Ａ、及び、エアクッション２２０Ｂを接続する。なお、接続部２４０は、クッション２００Ａ、及び、クッション２００Ｂを接続し、かつ、クッション２１０Ａ、及び、クッション２１０Ｂを接続してもよい。なお、接続部２４０が無くても、頭部、及び、頚椎部を支持できる場合、接続部２４０は、無くてもよい。また、接続部２４０は、本例において、空気の出し入れにより、膨張又は収縮しない。
高さ表示モニタ２５０は、頭部支持部１０、及び、頚椎部支持部２０の高さを表示する。例えば、高さ表示モニタ２５０は、エアクッション２２０内部の空気の流量を計測する流量計を備えており、空気の流量に応じて、高さをデジタル表示する。
以上説明したように、高さ調節枕３は、空気の出し入れにより、頚椎部支持部２０の高さに対して、頭部支持部１０の高さを高く調節可能である。これにより、神経根症の悪化時期、緩解時期に応じて、高さ調節枕３を使用できる。
【符号の説明】
【００２７】
１…高さ調節枕
１０…頭部支持部
２０…頚椎部支持部
１００…高さ調節部
１４０…高さ調節ボタン
１５０…モータ
１６０…アーム
１７０…支持板
１８０…駆動ユニット
【図１】
2017169626.tif 000003
【図２】
2017169626.tif 000004
【図３】
2017169626.tif 000005
【図４】
2017169626.tif 000006
【図５】
2017169626.tif 000007
【図６】
2017169626.tif 000008
【図７】
2017169626.tif 000009
【図８】
2017169626.tif 000010